(57)【要約】【課題】打音を向上させたゴルフクラブヘッドを提供すること。【解決手段】本ゴルフクラブヘッドは、打撃面となるフェース面を備えたフェース部、及び底部を形成するソール部を有するゴルフクラブヘッドであって、取付部材と、前記取付部材を取付可能な取付部と、ヘッド内面に形成されたリブと、を有し、前記リブは、前記取付部の周囲を、少なくとも部分的に囲む。【選択図】図１
2018153363.tif 000002
【特許請求の範囲】
【請求項１】
打撃面となるフェース面を備えたフェース部、及び底部を形成するソール部を有するゴルフクラブヘッドであって、
取付部材と、
前記取付部材を取付可能な取付部と、
ヘッド内面に形成されたリブと、を有し、
前記リブは、前記取付部の周囲を、少なくとも部分的に囲むことを特徴とするゴルフクラブヘッド。
【請求項２】
前記リブは、一次振動モードの振動範囲を超えて伸びる部分を有することを特徴とする請求項１に記載のゴルフクラブヘッド。
【請求項３】
前記リブは、前記取付部の周囲を少なくとも部分的に囲むリブと、前記部分的に囲むリブから前記取付部とは反対方向に伸びるリブと、を有することを特徴とする請求項１または２に記載のゴルフクラブヘッド。
【請求項４】
前記リブは、複数本のリブを有することを特徴とする請求項１乃至３の何れか一項に記載のゴルフクラブヘッド。
【請求項５】
前記リブは、前記取付部の周囲を完全に囲むことを特徴とする請求項１乃至４の何れか一項に記載のゴルフクラブヘッド。
【請求項６】
前記リブは、前記取付部と間隔を置くことを特徴とする請求項１乃至５の何れか一項に記載のゴルフクラブヘッド。
【発明の詳細な説明】
【技術分野】
【０００１】
本発明は、ゴルフクラブヘッドに関する。
【背景技術】
【０００２】
従来のゴルフクラブヘッドにおいて、ソール部等にリブを設けることが提案されている。ソール部等に設けたリブの中には、打撃時に発生するゴルフクラブヘッドの打音の向上を目的とするものもあり、例えば、ヘッド重量調整用のウエイトポートに接するようにリブを設けている。
【先行技術文献】
【特許文献】
【０００３】
【特許文献１】特開２０１２−１２０６４６号公報
【特許文献２】特開２０１３−０００２９２号公報
【特許文献３】特開２００６−０９５０５５号公報
【特許文献４】米国特許第８７５８１５３号明細書
【特許文献５】米国特許第７５６８９８５号明細書
【発明の概要】
【発明が解決しようとする課題】
【０００４】
本発明は、打音を向上させたゴルフクラブヘッドを提供することを目的とする。
【課題を解決するための手段】
【０００５】
本ゴルフクラブヘッドは、打撃面となるフェース面を備えたフェース部、及び底部を形成するソール部を有するゴルフクラブヘッドであって、取付部材と、前記取付部材を取付可能な取付部と、ヘッド内面に形成されたリブと、を有し、前記リブは、前記取付部の周囲を、少なくとも部分的に囲むことを要件とする。
【発明の効果】
【０００６】
開示の技術によれば、打音を向上させたゴルフクラブヘッドを提供できる。
【図面の簡単な説明】
【０００７】
【図１】本実施の形態に係るゴルフクラブヘッド１を例示する図である。
【図２】ゴルフクラブヘッド１のヘッド内面を示す断面図である。
【図３】ゴルフクラブヘッド１のソール部の一次振動モードについて説明する図である。
【図４】ゴルフクラブヘッド２のヘッド内面を示す断面図である。
【図５】ゴルフクラブヘッド３のヘッド内面を示す断面図である。
【図６】ゴルフクラブヘッド４のヘッド内面を示す断面図である。
【図７】ゴルフクラブヘッド５のヘッド内面を示す断面図である。
【図８】ゴルフクラブヘッド６のヘッド内面を示す断面図である。
【発明を実施するための形態】
【０００８】
以下、図面を参照して、実施の形態の説明を行う。なお、各図面において、同一構成部分には同一符号を付し、重複した説明を省略する場合がある。
【０００９】
〈第１の実施の形態〉
図１は、本実施の形態に係るゴルフクラブヘッド１を例示する図であり、図１（ａ）は正面図、図１（ｂ）は底面図、図１（ｃ）は左側面図、図１（ｄ）は右側面図である。
【００１０】
図１では、フェース面１１ｆ側から視た図を正面図としており、ゴルフクラブヘッド１を水平面Ｈ（地面に相当）に基準のライ角θ及び基準のロフト角（図示せず）通りに接地した場合を図示している。なお、Ｊはホゼル部１５の穴の中心軸を示している。また、矢印ｄ１はトウ−ヒール方向（左右方向）を、矢印ｄ２はトップ−ソール方向（上下方向）を、矢印ｄ３はフェース−バック方向（前後方向）を示している。
【００１１】
図１に示すゴルフクラブヘッド１は、ウッド型のゴルフクラブヘッドであって、例えばドライバであるが、ユーティリティやフェアウェイウッドであってもよい。ゴルフクラブヘッド１は、例えば、チタン合金、チタン、ステンレス、アルミニウム合金等の金属材料を用いて形成することができる。また、ゴルフクラブヘッド１は、複数の部品を接合して組み立てることができる。以下、ゴルフクラブヘッド１について詳説する。
【００１２】
ゴルフクラブヘッド１は、フェース部１１と、クラウン部１２と、ソール部１３と、サイド部１４と、ホゼル部１５とを有する中空構造体である。なお、中空構造体の内側の面をヘッド内面、外側の面をヘッド外面と称する場合がある。
【００１３】
フェース部１１は、打撃面となるフェース面１１ｆを備えた部分である。なお、フェース部１１は所定の厚みを有しており、フェース面１１ｆはフェース部１１の外面をなしている。クラウン部１２は、ゴルフクラブヘッド１の上部を形成する部分である。ソール部１３は、ゴルフクラブヘッド１の底部を形成する部分である。サイド部１４は、クラウン部１２とソール部１３とを繋ぐ部分である。ホゼル部１５は、シャフトと連結される部分である。
【００１４】
ソール部１３にはヘッド重量調整用の取付部材３０（ウエイト）を取付可能な取付部２０（ウエイトポート）が配置されている。取付部材３０を取付部２０に取り付けた際に、取付部材３０がソール部１３の外面から突起しないように、ソール部１３において取付部２０の周囲に凹部を設けることが好ましい。
【００１５】
図１（ｂ）では、取付部２０に取付部材３０を取り付けた状態を例示しているが、取付部材３０は着脱可能であって、必要に応じて必要なウエイトの取付部材３０を取り付けることができる。取付部材３０を用いたウエイト調整により、ゴルフクラブヘッド１の重心位置の調整が可能となる。
【００１６】
図２は、ゴルフクラブヘッド１のヘッド内面を示す断面図であり、図２（ａ）及び図２（ｂ）はゴルフクラブヘッド１を横方向に切断してトップ側からソール側を視た図である。また、図２（ｃ）は、ゴルフクラブヘッド１を図２（ｂ）のＡ−Ａ線に沿って縦方向に切断してヒール側からトウ側を視た図である。また、図２（ｄ）は、図２（ｂ）からリブ４０のみを抜き出した図である。
【００１７】
図２に示すように、ゴルフクラブヘッド１では、ヘッド内面（ソール部１３の内面）にリブ４０が形成されている。リブ４０は、第１リブ４１と、第２リブ４２と、第３リブ４３と、第４リブ４４と、第５リブ４５と、第６リブ４６と、第７リブ４７と、第８リブ４８とを備えている。
【００１８】
第１リブ４１、第２リブ４２、及び第３リブ４３は、取付部２０の中心よりもバック側において一点（以降、接続点とする）で接続されている。
【００１９】
第１リブ４１は、接続点からトウ側に伸びている。第２リブ４２は、接続点からヒール側に伸びている。第３リブ４３は、接続点からバック側に伸びている。第１リブ４１は、直線状であっても曲線状であってもよいし、直線状の部分と曲線状の部分とが混在していてもよい。第２リブ４２及び第３リブ４３についても同様である。
【００２０】
第４リブ４４は、一端が第１リブ４１上の一点と接続され、フェース側に伸びている。第５リブ４５は、一端が第２リブ４２上の一点と接続され、フェース側に伸びている。第６リブ４６は、第４リブ４４の一端よりもトウ側において一端が第１リブ４１上の一点と接続され、他端が第４リブ４４の他端と接続されている。
【００２１】
第７リブ４７は、第５リブ４５の一端よりもヒール側において一端が第２リブ４２上の一点と接続され、他端が第５リブ４５の他端と接続されている。第８リブ４８は、第４リブ４４の他端と第６リブ４６の他端との交点と、第５リブ４５の他端と第７リブ４７の他端との交点を結んでいる。
【００２２】
第１リブ４１の一部、第２リブ４２の一部、第４リブ４４、第５リブ４５、及び第８リブ４８は、取付部２０の周囲を完全に囲むように環状に伸びている。第１リブ４１の一部、第２リブ４２の一部、第４リブ４４、第５リブ４５、及び第８リブ４８は、取付部２０と間隔を置いて配置されており、取付部２０とは接触していない。第１リブ４１の一部、第２リブ４２の一部、第４リブ４４、第５リブ４５、及び第８リブ４８の内壁と、取付部２０の外壁と間隔は、例えば、１ｍｍ以上である。
【００２３】
第１リブ４１〜第８リブ４８の各々の幅Ｗは、例えば、０．２ｍｍ以上３ｍｍ以下である。リブ４０の最大高さＨは、例えば、０．５ｍｍ以上２０ｍｍ以下である。リブ４０のトウ−ヒール方向の長さＬ１は、例えば、３０ｍｍ以上１２０ｍｍ以下である。リブ４０のフェース−バック方向の長さＬ２は、例えば、３０ｍｍ以上１２０ｍｍ以下である。
【００２４】
このように、リブ４０は、取付部２０の周囲を囲むリブ（第１リブ４１の一部、第２リブ４２の一部、第４リブ４４、第５リブ４５、及び第８リブ４８）と、取付部２０の周囲を囲むリブから、取付部２０とは反対方向に伸びるリブ（第１リブ４１の一部、第２リブ４２の一部、第３リブ４３、第６リブ４６、第７リブ４７）とを備えている。
【００２５】
図３は、ゴルフクラブヘッド１のソール部の一次振動モードについて説明する図である。図３において、灰色が濃い部分ほど一次振動モードの振幅が大きいことを示している。最も灰色が濃い部分（黒色に近い部分）は一次振動モードの腹であり、この部分で最も振幅が大きくなる。ソール部１３の一次振動モードの腹の位置は、コンピュータによるモーダル解析や有限要素法（ＦＥＭ：Finite Element Method）での固有値解析により求めることができる。
【００２６】
取付部材３０を取付部２０に取り付けた場合、取付部材３０の近傍が最も重くなるため、図３に示すように、取付部材３０の近傍が最も大きく振動し、一次振動モードの腹の位置となる。この振動は、打音にとっては好ましくないため、取付部材３０の近傍の振動を抑えることが打音の向上に有効である。
【００２７】
そこで、ゴルフクラブヘッド１では、取付部２０の周囲を囲むリブ４０を設けることで、取付部材３０の近傍の振動を効果的に抑えている。打撃時に発生するゴルフクラブヘッド１の振動をより効果的に抑えるため、リブ４０は一次振動モードの振動範囲を超えて伸びる部分を有することが好ましい。
【００２８】
ここで、一次振動モードの振動範囲とは、最も灰色が濃い部分（一次振動モードの腹の位置）と、その周囲の灰色がやや薄い部分とを合わせた範囲であり、図３では破線Ａで囲まれた範囲が一次振動モードの振動範囲である。リブ４０において、一次振動モードの振動範囲を超えて伸びる部分は、第１リブ４１、第２リブ４２、及び第３リブ４３である。
【００２９】
このように、ソール部１３の一次振動モードの腹の位置の近傍となる取付部２０の周囲を囲むリブ４０を設けることで、打撃時に発生するゴルフクラブヘッド１の振動を効果的に抑え、打音を向上させることができる。
【００３０】
また、リブ４０を取付部２０と間隔を置いて配置し、リブ４０が一次振動モードの振動範囲を超えて取付部２０とは反対方向に伸びるリブを備えることで、打撃時に発生するゴルフクラブヘッド１の振動をより効果的に抑え、打音を向上させる効果をいっそう高めることができる。
【００３１】
〈第１の実施の形態の変形例〉
第１の実施の形態の変形例では、形状の異なるリブの例を示す。なお、第１の実施の形態の変形例において、既に説明した実施の形態と同一構成部についての説明は省略する場合がある。
【００３２】
（変形例１）
図４は、ゴルフクラブヘッド２のヘッド内面を示す断面図であり、ゴルフクラブヘッド２を横方向に切断してトップ側からソール側を視た図である。図４に示すように、ゴルフクラブヘッド２では、リブ４０がリブ５０に置換された点が、ゴルフクラブヘッド１（図２参照）と相違する。
【００３３】
リブ５０は、第１リブ５１と、第２リブ５２と、第３リブ５３と、第４リブ５４とを備えている。
【００３４】
第１リブ５１は、取付部２０の周囲を部分的に囲むように伸びている。第１リブ５１は、フェース側の一部には設けられていない。第１リブ５１は、取付部２０と間隔を置いて配置されており、取付部２０とは接触していない。リブ５０が、取付部２０の周囲を部分的に囲むように伸びる部分を備えることにより、打撃時に発生するゴルフクラブヘッド１の振動を効果的に抑えることができる。
【００３５】
なお、本明細書において、『取付部の周囲を、少なくとも部分的に囲む』とは、リブが取付部の周囲を完全に囲む形態と、リブが取付部の周囲を部分的に囲む形態とを含むものである。また、『取付部の周囲を部分的に囲む』とは、取付部の周囲に配置された１本または複数本のリブの隣接する端部同士を仮想的な直線で結んだときに作られる閉じた範囲内に取付部の中心が配置される形態を指すものとする。
【００３６】
第２リブ５２は、一端が第１リブ５１上のトウ側の一点と接続され、他端が更にトウ側に伸びている。第３リブ５３は、一端が第１リブ５１上のヒール側の一点と接続され、他端が更にヒール側に伸びている。第４リブ５４は、一端が第１リブ５１上のバック側の一点と接続され、他端が更にバック側に伸びている。第２リブ５２は、直線状であっても曲線状であってもよいし、直線状の部分と曲線状の部分とが混在していてもよい。第３リブ５３及び第４リブ５４についても同様である。
【００３７】
第１リブ５１〜第４リブ５４の各々の幅は、第１の実施の形態の場合と同程度とすることができる。また、リブ５０のトウ−ヒール方向の長さ、及びフェース−バック方向の長さは、第１の実施の形態の場合と同程度とすることができる。
【００３８】
このように、リブ５０は、取付部２０の周囲を部分的に囲む第１リブ５１と、取付部２０の周囲を部分的に囲む第１リブ５１から、取付部２０とは反対方向に伸びる第２リブ５２、第３リブ５３、及び第４リブ５４とを備えている。
【００３９】
第１の実施の形態の場合と同様に、リブ５０は、一次振動モードの振動範囲を超えて伸びる部分を有することが好ましい。リブ５０において、一次振動モードの振動範囲を超えて伸びる部分は、第２リブ５２、第３リブ５３、及び第４リブ５４である。
【００４０】
（変形例２）
図５は、ゴルフクラブヘッド３のヘッド内面を示す断面図であり、ゴルフクラブヘッド３を横方向に切断してトップ側からソール側を視た図である。図５に示すように、ゴルフクラブヘッド３では、リブ４０がリブ６０に置換された点が、ゴルフクラブヘッド１（図２参照）と相違する。
【００４１】
リブ６０は、取付部２０の周囲を完全に囲み、フェース−バック方向に伸びた細長状の１本の環状のリブである。リブ６０は、楕円であってもよいし、涙型であってもよいし、多角形や角部が丸みを帯びた多角形等の任意の形状であってもよい。リブ６０は、取付部２０と間隔を置いて配置されており、取付部２０とは接触していない。リブ６０が、取付部２０の周囲を囲むように伸びる部分を備えることにより、打撃時に発生するゴルフクラブヘッド３の振動を効果的に抑えることができる。
【００４２】
リブ６０は、直線状の部分のみで形成してもよいし、曲線状の部分のみで形成してもよいし、直線状の部分と曲線状の部分とが混在していてもよい。
【００４３】
リブ６０の幅は、第１の実施の形態の場合と同程度とすることができる。また、リブ６０のトウ−ヒール方向の長さは、取付部２０と間隔を置いて取付部２０の周囲を囲める程度の適宜な長さに設定することができる。リブ６０のフェース−バック方向の長さは、第１の実施の形態の場合と同程度とすることができる。
【００４４】
第１の実施の形態の場合と同様に、リブ６０は、一次振動モードの振動範囲を超えて伸びる部分を有することが好ましい。リブ６０において、一次振動モードの振動範囲を超えて伸びる部分は、取付部２０よりもバック側に伸びる部分である。
【００４５】
（変形例３）
図６は、ゴルフクラブヘッド４のヘッド内面を示す断面図であり、ゴルフクラブヘッド４を横方向に切断してトップ側からソール側を視た図である。図６に示すように、ゴルフクラブヘッド４では、リブ４０がリブ７０に置換された点が、ゴルフクラブヘッド１（図２参照）と相違する。
【００４６】
リブ７０は、取付部２０の周囲を完全に囲み、取付部２０の近傍から一方がトウ方向に伸び、他方がヒール方向に伸びた細長状の１本の環状のリブである。リブ７０は、楕円であってもよいし、涙型であってもよいし、多角形や角部が丸みを帯びた多角形等の任意の形状であってもよい。リブ７０は、取付部２０と間隔を置いて配置されており、取付部２０とは接触していない。リブ７０が、取付部２０の周囲を囲むように伸びる部分を備えることにより、打撃時に発生するゴルフクラブヘッド４の振動を効果的に抑えることができる。
【００４７】
リブ７０は、直線状の部分のみで形成してもよいし、曲線状の部分のみで形成してもよいし、直線状の部分と曲線状の部分とが混在していてもよい。
【００４８】
リブ７０の幅は、第１の実施の形態の場合と同程度とすることができる。また、リブ７０のトウ−ヒール方向の長さは、第１の実施の形態の場合と同程度とすることができる。リブ７０のフェース−バック方向の長さは、取付部２０と間隔を置いて取付部２０の周囲を囲める程度の適宜な長さに設定することができる。
【００４９】
第１の実施の形態の場合と同様に、リブ７０は、一次振動モードの振動範囲を超えて伸びる部分を有することが好ましい。リブ７０において、一次振動モードの振動範囲を超えて伸びる部分は、取付部２０の近傍からトウ側に伸びる部分及びヒール側に伸びる部分である。
【００５０】
（変形例４）
図７は、ゴルフクラブヘッド５のヘッド内面を示す断面図であり、ゴルフクラブヘッド５を横方向に切断してトップ側からソール側を視た図である。図７に示すように、ゴルフクラブヘッド５では、リブ４０がリブ８０に置換された点が、ゴルフクラブヘッド１（図２参照）と相違する。
【００５１】
リブ８０は、第１リブ８１と、第２リブ８２と、第３リブ８３と、第４リブ８４と、第５リブ８５と、第６リブ８６とを備えている。
【００５２】
第１リブ８１、第２リブ８２、及び第３リブ８３は、取付部２０の周囲を部分的に囲むように所定の間隔を空けて配置されている。第１リブ８１、第２リブ８２、及び第３リブ８３は、直線状であっても曲線状であってもよいし、直線状の部分と曲線状の部分とが混在していてもよい。第１リブ８１、第２リブ８２、及び第３リブ８３は、取付部２０と間隔を置いて配置されており、取付部２０とは接触していない。リブ８０が、取付部２０の周囲を部分的に囲むように伸びる部分を備えることにより、打撃時に発生するゴルフクラブヘッド５の振動を効果的に抑えることができる。
【００５３】
第４リブ８４は、一端が第１リブ８１上の一点と接続され、他端がトウ側に伸びている。第５リブ８５は、一端が第２リブ８２上の一点と接続され、他端がヒール側に伸びている。第６リブ８６は、一端が第３リブ８３上の一点と接続され、他端がバック側に伸びている。第４リブ８４、第５リブ８５、及び第６リブ８６は、直線状であっても曲線状であってもよいし、直線状の部分と曲線状の部分とが混在していてもよい。
【００５４】
第１リブ８１〜第６リブ８６の各々の幅は、第１の実施の形態の場合と同程度とすることができる。また、リブ８０のトウ−ヒール方向の長さ、及びフェース−バック方向の長さは、第１の実施の形態の場合と同程度とすることができる。
【００５５】
このように、リブ８０は、取付部２０の周囲を部分的に囲む第１リブ８１、第２リブ８２、及び第３リブ８３と、取付部２０の周囲を部分的に囲む第１リブ８１、第２リブ８２、及び第３リブ８３から、それぞれ取付部２０とは反対方向に伸びる第４リブ８４、第５リブ８５、及び第６リブ８６とを備えている。
【００５６】
第１の実施の形態の場合と同様に、リブ８０は、一次振動モードの振動範囲を超えて伸びる部分を有することが好ましい。リブ８０において、一次振動モードの振動範囲を超えて伸びる部分は、第４リブ８４、第５リブ８５、及び第６リブ８６である。
【００５７】
（変形例５）
図８は、ゴルフクラブヘッド６のヘッド内面を示す断面図であり、ゴルフクラブヘッド６を横方向に切断してトップ側からソール側を視た図である。図８に示すように、ゴルフクラブヘッド５では、リブ４０がリブ９０に置換された点が、ゴルフクラブヘッド１（図２参照）と相違する。
【００５８】
リブ９０は、第１リブ９１と、第２リブ９２と、第３リブ９３と、第４リブ９４とを備えている。
【００５９】
第１リブ９１及び第２リブ９２は、取付部２０の周囲を部分的に囲むように所定の間隔を空けて配置されている。第１リブ９１及び第２リブ９２は、直線状であっても曲線状であってもよいし、直線状の部分と曲線状の部分とが混在していてもよい。第１リブ９１及び第２リブ９２は、取付部２０と間隔を置いて配置されており、取付部２０とは接触していない。第１リブ９１と第２リブ９２とは、平行であってもよい。リブ９０が、取付部２０の周囲を部分的に囲むように伸びる部分を備えることにより、打撃時に発生するゴルフクラブヘッド６の振動を効果的に抑えることができる。
【００６０】
第３リブ９３は、一端が第１リブ９１上の一点と接続され、他端がトウ側に伸びている。第４リブ９４は、一端が第２リブ９２上の一点と接続され、他端がヒール側に伸びている。第３リブ９３及び第４リブ９４は、直線状であっても曲線状であってもよいし、直線状の部分と曲線状の部分とが混在していてもよい。
【００６１】
第１リブ９１〜第４リブ９４の各々の幅は、第１の実施の形態の場合と同程度とすることができる。リブ９０のトウ−ヒール方向の長さは、第１の実施の形態の場合と同程度とすることができる。リブ９０のフェース−バック方向の長さは、取付部２０と間隔を置いて取付部２０の周囲を部分的に囲める程度の適宜な長さに設定することができる。
【００６２】
このように、リブ９０は、取付部２０の周囲を部分的に囲む第１リブ９１及び第２リブ９２と、取付部２０の周囲を部分的に囲む第１リブ９１及び第２リブ９２から、それぞれ取付部２０とは反対方向に伸びる第３リブ９３及び第４リブ９４とを備えている。
【００６３】
第１の実施の形態の場合と同様に、リブ９０は、一次振動モードの振動範囲を超えて伸びる部分を有することが好ましい。リブ９０において、一次振動モードの振動範囲を超えて伸びる部分は、第３リブ９３及び第４リブ９４である。
【００６４】
変形例１〜５に示したように、ソール部１３に取付部２０の周囲を少なくとも部分的に囲むリブ５０、６０、７０、８０、または９０を設けることで、打撃時に発生するゴルフクラブヘッドの振動を効果的に抑え、打音を向上させることができる。
【００６５】
また、リブ５０、６０、７０、８０、または９０を取付部２０と間隔を置いて配置し、リブ５０、６０、７０、８０、または９０が一次振動モードの振動範囲を超えて取付部２０とは反対方向に伸びるリブを備えることで、打撃時に発生するゴルフクラブヘッドの振動をより効果的に抑え、打音を向上させる効果をいっそう高めることができる。
【００６６】
以上、好ましい実施の形態について詳説したが、上述した実施の形態に制限されることはなく、特許請求の範囲に記載された範囲を逸脱することなく、上述した実施の形態に種々の変形及び置換を加えることができる。
【符号の説明】
【００６７】
１、２、３、４、５、６  ゴルフクラブヘッド
１１  フェース部
１１ｆ  フェース面
１２  クラウン部
１３  ソール部
１４  サイド部
１５  ホゼル部
２０  取付部
３０  取付部材
４０、５０、６０、７０、８０、９０  リブ
４１、５１、８１、９１  第１リブ
４２、５２、８２、９２  第２リブ
４３、５３、８３、９３  第３リブ
４４、５４、８４、９４  第４リブ
４５、８５  第５リブ
４６、８６  第６リブ
４７  第７リブ
４８  第８リブ
【図１】
2018153363.tif 000003
【図２】
2018153363.tif 000004
【図３】
2018153363.tif 000005
【図４】
2018153363.tif 000006
【図５】
2018153363.tif 000007
【図６】
2018153363.tif 000008
【図７】
2018153363.tif 000009
【図８】
2018153363.tif 000010